(57)【特許請求の範囲】
【請求項１】
検知装置で検知した外光の強度に応じて明るさが制御される表示装置およびアクセス指示が発行されているときアクセスされる記憶媒体を着脱可能に備える、携帯電子機器であって、
ケース、
前記ケースに形成され、前記検知装置を収容する窓、
前記窓内に前記検知装置と並置して設けられ、発光の有無によって前記記憶媒体がアクセスされているかどうかを表示する発光装置、
前記アクセス指示が発行されているとき前記発光装置を発光させかつ前記アクセス指示が発行されていないとき前記発光装置を発光させない発光制御手段、および
前記アクセス指示が発行されていないときにのみ、前記検知装置で検知した外光の強度に応じて前記表示装置の明るさを制御する明るさ制御手段を備える、携帯電子機器。
【請求項２】
前記アクセス指示は前記記憶媒体へデータを記録する記録処理を実行すべきとき、または前記記憶媒体からデータを再生する再生処理を実行すべきとき、発行される、請求項１記載の携帯電子機器。
【請求項３】
前記ケースに装着され、モード切り換えのために操作されるダイヤルキーをさらに備え、
前記窓は前記ダイヤルキーによるモード設定操作のためのマーカを兼ねる、請求項１または２記載の携帯電子機器。
【請求項４】
前記明るさ制御手段は、前記外光の強度に応じて明るさの変更を決定する決定手段、前記決定手段の決定に従って前記明るさを変更する変更手段、および前記決定手段の決定から前記変更手段の変更までに既定時間にわたって待機する待機手段を含む、請求項１ないし３のいずれかに記載の携帯電子機器。
【請求項５】
ケースに着脱自在に装着され、アクセス指示が発行されているときアクセスされる記憶媒体、前記ケース形成された窓内に並置される、外光の強度を検知する検知装置および発光の有無によって前記記憶媒体がアクセスされているかどうかを表示する発光装置、ならびに前記検知装置で検知した外光の強度に応じて明るさが制御される表示装置を備える、携帯電子機器のコンピュータによって実行される動作制御プログラムであって、前記制御プログラムは、前記コンピュータを、
前記アクセス指示が発行されているとき前記発光装置を発光させかつ前記アクセス指示が発行されていないとき前記発光装置を発光させない発光制御手段、および
前記アクセス指示が発行されていないときにのみ、前記検知装置で検知した外光の強度に応じて前記表示装置の明るさを制御する明るさ制御手段
として機能させる、制御プログラム。
【請求項６】
ケースに着脱自在に装着され、アクセス指示が発行されているときアクセスされる記憶媒体、前記ケース形成された窓内に並置される、外光の強度を検知する検知装置および発光の有無によって前記記憶媒体がアクセスされているかどうかを表示する発光装置、ならびに前記検知装置で検知した外光の強度に応じて明るさが制御される表示装置を備える、携帯電子機器の制御方法であって、
前記アクセス指示が発行されているとき前記発光装置を発光させる発光ステップ、
前記アクセス指示が発行されていないとき前記発光装置を発光させない非発光ステップ、および
前記アクセス指示が発行されていないときにのみ、前記検知装置で検知した外光の強度に応じて前記表示装置の明るさを制御する明るさ制御ステップを含む、携帯電子機器の制御方法。
【発明の詳細な説明】
【技術分野】
【０００１】
この発明は、携帯電子機器に関し、特にたとえば、外光の強度を検知する照度センサを搭載する、携帯電子機器に関する。
【背景技術】
【０００２】
従来のこの種の回路の一例が、特許文献１に開示されている。この従来技術によれば、反射型液晶ディスプレイ２０の表示画面を照明する光源２２は、光検出センサ４０によって検出された周囲の明るさに基づいて照明光量を調整される。これによって、電力消費が抑えられる。
【０００３】
また、従来のこの種の回路の一例が、特許文献２に開示されている。この従来技術によれば、システムコントローラ１００には、点滅発光によりメモリカード１７へのアクセス中である旨の通知（警告）を与える警告用ＬＥＤ２５が接続される。このように、メモリカード１７へのアクセス中に誤ってメモリカードが着脱される等の誤操作を防止することによって、操作性が向上する。
【特許文献１】特開２０００−１００６８号公報[G02F 1/133,G03B 13/02,G09F 9/00, G09G 3/18,H04N 5/225]
【特許文献２】特開２００３−１３１３０４号公報[G03B 17/04,5/00,17/02,17/18,H04N 5/225]
【発明の開示】
【発明が解決しようとする課題】
【０００４】
しかし、従来技術では、表示装置の省電力化のために設ける検知装置と操作性の向上のために設ける発光装置とを携帯電子機器に備えると、操作性を確保するため、携帯電子機器を大型化する必要が生じる。
【０００５】
それゆえに、この発明の主たる目的は、検知装置と発光装置とを備えながら操作性の向上を図りつつ小型化を実現する、携帯電子機器を提供することである。
【課題を解決するための手段】
【０００６】
第１の発明は、検知装置で検知した外光の強度に応じて明るさが制御される表示装置およびアクセス指示が発行されているときアクセスされる記憶媒体を着脱可能に備える、携帯電子機器であって、ケース、ケースに形成され、検知装置を収容する窓、
窓内に検知装置と並置して設けられ、発光の有無によって記憶媒体がアクセスされているかどうかを表示する発光装置、アクセス指示が発行されているとき発光装置を発光させかつアクセス指示が発行されていないとき発光装置を発光させない発光制御手段、およびアクセス指示が発行されていないときにのみ、検知装置で検知した外光の強度に応じて表示装置の明るさを制御する明るさ制御手段を備える、携帯電子機器である。
【０００７】
記録媒体は、アクセス指示が発行されたときアクセス手段によってアクセスされる。発光制御手段は、アクセス指示が発行されているとき発光装置を発光させかつアクセス指示が発行されていないとき発光装置を発光させない。外光の強度は、検知装置によって検知される。そして、明るさ制御手段は、アクセス指示が発行されていないときにのみ、検知装置で検知した外光の強度に応じて表示装置の明るさを制御する。
【０００８】
記録媒体のアクセス状態に応じて発光装置の発光／非発光を制御することで、操作性の向上が図られる。また、外光の強度に応じて表示装置の画面の明るさを制御することで、省電力化が図られる。さらに、発光装置が非発光のときにのみ、明るさ制御手段を動作させることで、検知装置を発光装置の近傍に配置することができ、機器の小型化が図られる。
【０００９】
第２の発明は、第１の発明に従属し、アクセス指示は記憶媒体へデータを記録する記録処理を実行すべきとき、または記憶媒体からデータを再生する再生処理を実行すべきとき、発行される、携帯電子機器である。
【００１０】
第３の発明は、第１または第２の発明に従属し、ケースに装着され、モード切り換えのために操作されるダイヤルキーをさらに備え、窓はダイヤルキーによるモード設定操作のためのマーカを兼ねる、携帯電子機器である。
【００１１】
第４の発明は、第１ないし第３の発明に従属し、明るさ制御手段は、外光の強度に応じて明るさの変更を決定する決定手段、決定手段の決定に従って明るさを変更する変更手段、および決定手段の決定から変更手段の変更までに既定時間にわたって待機する待機手段を含む、携帯電子機器である。
【００１２】
第５の発明は、ケースに着脱自在に装着され、アクセス指示が発行されているときアクセスされる記憶媒体、ケース形成された窓内に並置される、外光の強度を検知する検知装置および発光の有無によって記憶媒体がアクセスされているかどうかを表示する発光装置、ならびに検知装置で検知した外光の強度に応じて明るさが制御される表示装置を備える、携帯電子機器のコンピュータによって実行される動作制御プログラムであって、制御プログラムは、コンピュータを、アクセス指示が発行されているとき発光装置を発光させかつアクセス指示が発行されていないとき発光装置を発光させない発光制御手段、およびアクセス指示が発行されていないときにのみ、検知装置で検知した外光の強度に応じて表示装置の明るさを制御する明るさ制御手段として機能させる、制御プログラムである。
【００１３】
第６の発明は、ケースに着脱自在に装着され、アクセス指示が発行されているときアクセスされる記憶媒体、ケース形成された窓内に並置される、外光の強度を検知する検知装置および発光の有無によって記憶媒体がアクセスされているかどうかを表示する発光装置、ならびに検知装置で検知した外光の強度に応じて明るさが制御される表示装置を備える、携帯電子機器の制御方法であって、アクセス指示が発行されているとき発光装置を発光させる発光ステップ、アクセス指示が発行されていないとき発光装置を発光させない非発光ステップ、およびアクセス指示が発行されていないときにのみ、検知装置で検知した外光の強度に応じて表示装置の明るさを制御する明るさ制御ステップを含む、携帯電子機器の制御方法である。
【発明の効果】
【００１８】
この発明によれば、  記録媒体のアクセス状態に応じて発光装置の発光／非発光を制御することで、操作性の向上が図られる。また、外光の強度に応じて表示装置の画面の明るさを制御することで、省電力化が図られる。さらに、発光装置が非発光のときにのみ、明るさ制御手段を動作させることで、検知装置を発光装置の近傍に配置することができ、機器の小型化が図られる。
【００１９】
この発明の上述の目的，その他の目的，特徴および利点は、図面を参照して行う以下の実施例の詳細な説明から一層明らかとなろう。
【発明を実施するための最良の形態】
【００２０】
図１を参照して、この実施例のディジタルカメラ１０は、光学レンズ１２を含む。被写界の光学像は、光学レンズ１２を介してＣＣＤイメージャ１４の撮像面に照射される。撮像面では、光電変換によって被写界の光学像に対応する電荷つまり画像信号が生成される。
【００２１】
この実施例のディジタルカメラ１０は、再生モードおよび撮影モードを有する。ダイヤルキー５２が再生モードを示すマーカに合わされると、ディジタルカメラ１０が再生モードに設定される一方、ダイヤルキー５２が撮影モードを示すマーカに合わされると、ディジタルカメラ１０が撮影モードに設定される。
【００２２】
撮影モード切換操作つまりダイヤルキー５２を撮影モードに対応するマーカに合わせる操作が行われると、ＣＰＵ２４は撮影タスクを起動する。このとき、被写界のリアルタイム動画像つまりスルー画像をＬＣＤパネル４０に表示すべく、スルー画像処理が実行される。
【００２３】
具体的には、ＣＰＵ２４は、プリ露光および間引き読み出しの繰り返しをタイミングジェネレータ（ＴＧ）２２に命令する。ＴＧ２２は、ＣＣＤイメージャ１４のプリ露光と、これによって生成された画像信号の間引き読み出しとを繰り返し実行する。ＴＧ２２はまた、画素クロック，水平同期信号Ｈｓｙｎｃおよび垂直同期信号Ｖｓｙｎｃを含む複数のタイミング信号を発生する。ドライバ２０は、かかるタイミング信号に応答してＣＣＤイメージャ１４を駆動する。この結果、垂直同期信号Ｖｓｙｎｃは１／３０秒毎に発生し、画像信号は１／３０秒に１フレームの割合でＣＣＤイメージャ１４から出力される。
【００２４】
ＣＤＳ／ＡＧＣ／ＡＤ回路１６は、ＣＣＤイメージャ１４から出力された画像信号に、相関２重サンプリング，自動ゲイン調整およびＡ／Ｄ変換の一連の処理を施す。信号処理回路１８は、ＣＤＳ／ＡＧＣ／ＡＤ回路１６から出力された生画像データに，クランプ，白バランス調整およびＹＵＶ変換などの一連の処理を施し、こうして得られた低解像度の画像データの書き込み要求がメモリ制御回路２８に与えられる。
【００２５】
メモリ制御回路２８によって書き込みが許可されると、信号処理回路１８はバス２６を通して所定量の画像データをメモリ制御回路２８に与える。所定量の画像データは、メモリ制御回路２８によってＳＤＲＡＭ３０に書き込まれる。こうして、低解像度の画像データがＳＤＲＡＭ３０に所定量ずつ格納される。
【００２６】
ＬＣＤドライバ３８は、ＳＤＲＡＭ３０に格納された画像データを１／３０秒に１フレームの割合で読み出すべく、読み出し要求をメモリ制御回路２８に向けて繰り返し与える。メモリ制御回路２８はＳＤＲＡＭ３０から所定量の画像データを読み出し、読み出された画像データはバス２６を介してＬＣＤドライバ３８に与えられる。ＬＣＤドライバ３８は、メモリ制御回路２８から与えられた画像データをＮＴＳＣフォーマットに従うコンポジットビデオ信号に変換し、変換されたコンポジットビデオ信号をＬＣＤパネル４０に与える。この結果、バックライト４２によって照らされたＬＣＤパネル４０上に被写界のスルー画像が表示される。
【００２７】
撮影操作つまりシャッタボタン５４を押下する操作が行われると、システムコントローラ４４はＣＰＵ２４に撮影命令を出力し、この撮影命令に従って撮影処理が実行される。
【００２８】
具体的には、ＣＰＵ２４は、本露光及び全画素読み出しの実行をＴＧ２２に命令し、ドライバ２０にＣＣＤイメージャ１４の駆動を命令する。ＴＧ２２は、ＣＣＤイメージャ１４に本露光を施し、本露光によって生成された全ての電荷がＣＤＳ／ＡＧＣ／ＡＤ回路１６に向けて出力される。そして、上述と同様の処理が実行され、高解像度の画像データがＳＤＲＡＭ３０に格納される。
【００２９】
画像データがＳＤＲＡＭ３０に格納されると、ＣＰＵ２４は次に、ＪＰＥＧ圧縮をＪＰＥＧコーデック３２に命令する。ＪＰＥＧコーデック３２は、ＳＤＲＡＭ３０に格納された高解像度の画像データをメモリ制御回路２８を通して読み出し、読み出された画像データにＪＰＥＧ圧縮を施し、そして圧縮画像データをメモリ制御回路２８を通してＳＤＲＡＭ３０に書き込む。こうして、圧縮画像データがＳＤＲＡＭ３０に格納される。
【００３０】
なお、バス２６上での画像データの転送速度は、信号処理回路１８，ＬＣＤドライバ３８およびＪＰＥＧコーデック３２の各々の処理速度よりも格段に速い。このため、画像データがバス２６上で衝突することはなく、データ転送処理が破綻することもない。
【００３１】
圧縮画像データがＳＤＲＡＭ３０に格納されると、記録処理が実行される。具体的には、ＣＰＵ２４は記録媒体３６への記録命令をＩ／Ｆ回路３４に発行し、Ｉ／Ｆ回路３４はメモリ制御回路２８に圧縮画像データの読み出し要求を発行する。メモリ制御回路２８はＳＤＲＡＭ３０に格納された圧縮画像データを読み出し、読み出された圧縮画像データを含む画像ファイルはＩ／Ｆ回路３４によって記録媒体３６に記録される。
【００３２】
なお、記録媒体３６は着脱自在であり、スロット（図示せず）に装着されたときにＣＰＵ２４によってアクセス可能となる。
【００３３】
再生モード切換操作つまりダイヤルキー５２を再生モードに対応するマーカに合わせる操作が行われると、ＣＰＵ２４は、再生タスクを起動する。
【００３４】
このとき、記録媒体３６に記録された所望の画像ファイルはＩ／Ｆ回路３４によって読み出され、Ｉ／Ｆ回路３４はこの画像ファイルに含まれる圧縮画像データをメモリ制御回路２８を通してＳＤＲＡＭ３０に書き込む。
【００３５】
圧縮画像データがＳＤＲＡＭ３０に格納されると、表示処理が実行される。具体的には、書き込まれた圧縮画像データはメモリ制御回路２８によって読み出され、メモリ制御回路２８は読み出した圧縮画像データをＪＰＥＧコーデック３２に与える。ＪＰＥＧコーデック３２は、圧縮画像データに伸長処理を施し、こうして得られた伸長画像データをメモリ制御回路２８を通してＳＤＲＡＭ３０に書き込む。書き込まれた伸長画像データはメモリ制御回路２８を介してＬＣＤドライバ３８によって読み出され、ＬＣＤドライバ３８は、メモリ制御回路２８から読み出した伸長画像データをＮＴＳＣフォーマットに従うコンポジットビデオ信号に変換し、変換されたコンポジットビデオ信号をＬＣＤパネル４０に与える。この結果、ＬＣＤパネル４０に所望の画像が表示される。
【００３６】
明るさ検出回路４８は、フォトトランジスタＰＴ，抵抗Ｒ１および抵抗Ｒ２によって形成される。フォトトランジスタＰＴは外光を検出し、外光の強度に比例して、フォトトランジスタＰＴの電流量が変化する。つまり、外光が強ければ、外部電源ＶＤＤから抵抗Ｒ１および抵抗Ｒ２に供給される電流が増幅し、抵抗Ｒ１の電圧値および抵抗Ｒ２の電圧値が上昇する。
【００３７】
電源が投入され、抵抗Ｒ１および抵抗Ｒ２による分圧値がシステムコントローラ４４に形成されるＡ／Ｄポート４４ｐに印加されると、システムコントローラ４４は、Ａ／Ｄポート４４ｐに印加された電圧値に基づく検知結果をレジスタ４４ｒに登録する。システムコントローラ４４はまた、レジスタ４４ｒに登録された検知結果を取り込み、検知結果に基づいてバックライト４２を制御する。
【００３８】
具体的には、Ａ／Ｄポート４４ｐに印加される電圧値が１．０Ｖよりも小さければ、外光が弱いのでＬＣＤパネル４０の明るさは抑えるべきと判断する。システムコントローラ４４は、バックライト４２の明るさを制御するＰＷＭ信号を点灯調整回路４６に出力し、点灯調整回路４６は、ＰＷＭ信号に従ってバックライト４２の輝度を調整する。この結果、バックライト４２の発光量が減少し、ＬＣＤパネル４０の輝度が所定値よりも低下する。これによって、消費電力が軽減される。なお、システムコントローラ４４が出力点灯調整回路４６にＰＷＭ信号を出力する状態を省電モードと定義する。
【００３９】
一方、Ａ／Ｄポート４４ｐに印加される電圧値が２．０Ｖよりも大きければ、外光が強いのでＬＣＤパネル４０は明るくすべきと判断する。システムコントローラ４４は、ＰＷＭ信号の出力を停止する。これによって、バックライト４２は通常の明るさで発光し、ＬＣＤパネル４０の輝度は所定値を示す。なお、システムコントローラ４４によるＰＷＭ信号の出力が停止された状態を通常モードと定義する。
【００４０】
このように、外光が弱いつまり周囲が暗いときは、ＬＣＤパネル４０の輝度が低くても見易いため、バックライト４２は省電モードに設定し、外光が強いつまり周囲が明るいときは、ＬＣＤパネル４０の視認性を確保するため、バックライト４２は通常モードに設定する。つまり、バックライト４２の発光量は、外光の強度に従って制御される。
【００４１】
なお、省電モード時におけるＬＣＤパネル４０の輝度は、通常モード時のＬＣＤパネル４０の輝度の１／３以下になる。この結果、省電モード時は、通常モード時に比べて７５％の省電効果が得られる。
【００４２】
記録媒体３６へのアクセス中、バックライト４２の制御が保持されるとともに、光を放出するＬＥＤ５０を点灯すべき命令（以下、点灯命令）がＣＰＵ２４から発行される。このとき、システムコントローラ４４は、バックライト４２の制御を保持させ、点灯命令に従ってＬＥＤ５０を点灯させる。
【００４３】
一方、記録媒体３６へのアクセスがないとき、ＬＥＤ５０を消灯すべき命令（以下、消灯命令）がＣＰＵ２４から発行されるとともに、バックライト４２の調整が開始する。このとき、システムコントローラ４４は、消灯命令に従ってＬＥＤ５０を消灯し、バックライト４２の調整を開始する。なお、ＬＥＤ５０の発光量がゼロのとき、消灯状態とみなし、ＬＥＤ５０の発光量がゼロを上回ったとき、点灯状態とみなす。
【００４４】
つまり、記録媒体３６へのアクセス中は、直前のバックライト４２の制御を保持したままＬＥＤ５０が点灯することによって操作性が向上する。記録媒体３６へのアクセスがないときは、直前の省電効果を維持したままバックライト４２が調整されることによって消費電力が抑えられる。この結果、記録媒体４２へのアクセス中は操作性が優先され、記録媒体４２へのアクセスがないときは消費電力の低減が優先される。
【００４５】
この実施例のディジタルカメラ１０はケース５６を有する。図２（Ａ）および図２（Ｂ）に示すように、ケース５６の上面には、シャッタボタン５４が設けられ、ケース５６の正面には、光学レンズ１２が設けられ、そしてケース５６の背面には、ＬＣＤパネル４０およびダイヤルキー５２が設けられる。このダイヤルキー５２の近傍には、ＬＥＤ５０およびフォトトランジスタＰＴを覗くための窓５８が形成される。この窓５８は、ダイヤルキー５２の設定操作のためのマーカを兼ねる。これによって、操作性が向上する。
【００４６】
図３に示すように、窓５８の内部には、基板６０上に垂直した壁６２ａおよび壁６２ｂが設けられ、壁６２ａおよび壁６２ｂによって仕切られた領域にＬＥＤ５０を備える。このＬＥＤ５０の近傍にはフォトトランジスタＰＴが搭載され、このフォトトランジスタＰＴとＬＥＤ５０とを塞ぐように透明なカバー６４が設けられる。これによって、フォトトランジスタＰＴおよびＬＥＤ５０は露出しない。
【００４７】
フォトトランジスタＰＴはカバー６４を介して得られる外光を捉え、ＬＥＤ５０はカバー６４を通して光を放出する。ここで、窓５８は、記録媒体３６へのアクセス中、ＬＥＤ５０による発光を外部へ出力するための開口として機能し、記録媒体３６へのアクセスがないとき、外光を検知するための開口として機能する。
【００４８】
このように、記録媒体３６は、アクセス指示が発行されたときＩ／Ｆ回路３４によってアクセスされる。ＣＰＵ２４は、Ｉ／Ｆ回路３４の動作状態に応じて、光を放出するＬＥＤ５０の発光量を変更する。外光の強度は、フォトトランジスタＰＴによって検知される。情報を表示するＬＣＤパネル４０の画面の明るさは、フォトトランジスタＰＴの検知結果に基づいて、システムコントローラ４４によって制御される。ただし、システムコントローラ４４の制御動作は、ＬＥＤ５０の発光量がゼロを上回るとき、ＣＰＵ２４によって制限される。
【００４９】
記録媒体３６のアクセス状態に応じてＬＥＤ５０の発光量を変更することで、操作性の向上が図られる。また、外光の強度に応じてＬＣＤパネル４０の画面の明るさを制御することで、省電力化が図られる。さらに、ＬＥＤ５０の発光量がゼロを上回るときにシステムコントローラ４４を制限することで、フォトトランジスタＰＴをＬＥＤ５０の近傍に配置することができ、機器の小型化が図られる。
【００５０】
システムコントローラ４４は、具体的には図５および図６に示すフロー図に従う処理を行う。なお、このフロー図に対応するプログラムは、フラッシュメモリ（図示せず）に記憶される。
【００５１】
ステップＳ１では、起動操作が行われるまで待機する。電源ボタンが押下されると、ステップＳ３で起動信号をＣＰＵ２４に出力する。ステップＳ５では、ダイヤルキー５２によるモード切換操作が行われたか否かを判別する。モード切換操作が行われると、ステップＳ７でダイヤルキー５２に対応するモード設定を行う。このとき、ダイヤルキー５２が再生モードに対応するマーカに合わせられると、再生モードに切り換わる一方、ダイヤルキー５２が撮影モードに対応するマーカに合わせられると、撮影モードに切り換わる。
【００５２】
ステップＳ９では、撮影操作が行われたか否かを判別する。撮影操作が行われると、ステップＳ１１で撮影命令をＣＰＵ２４に出力する。ステップＳ１３では、ＣＰＵ２４によって点灯命令が与えられたか否かを判別する。点灯命令が与えられると、ステップＳ１５で点灯命令をＬＥＤ５０に与える。このとき、ＬＥＤ５０は点灯する。
【００５３】
ステップＳ１７では、ＣＰＵ２４によって消灯命令が与えられたか否かを判別する。消灯命令が与えられると、ステップＳ１９で消灯命令をＬＥＤ５０に与える。このとき、ＬＥＤ５０は消灯する。
【００５４】
ステップＳ２１では、レジスタ４４ｒのＦｌａｇが“０”であるか否かを判別する。Ｆｌａｇが“０”であれば、ＬＣＤパネル４０の明るさを制御すべく、ステップＳ２９に進み、Ｆｌａｇが“１”であれば、記録媒体３６へのアクセス中を示すべく、ステップＳ２３に進む。なお、このＦｌａｇについては、後で詳しく説明する。
【００５５】
ステップＳ２３では、終了操作が行われたか否かを判別する。終了操作が行われると、ステップＳ２５で終了信号をＣＰＵ２４に出力し、この処理を終える。一方、終了操作が行われなければ、ステップＳ２７でその他の処理を実行し、この処理を終えると、ステップＳ５に戻る。
【００５６】
図５によれば、ステップＳ２９で、ＬＣＤパネル４０の明るさを確保するため、バックライト４２を通常モードに設定する。このとき、ＰＷＭ信号の出力を停止し、バックライト４２は通常の明るさで発光する。この結果、ＬＣＤパネル４０の輝度は所定値を示す。
【００５７】
ステップＳ３１では、外光に基づく検知結果をレジスタ４４ｒから取り込む。
【００５８】
ステップＳ３３では、検知結果が１．０Ｖよりも小さいか否かを判別する。検知結果が１．０Ｖよりも小さければ、省電モードに設定すべく、ステップＳ３７に進む。検知結果が１．０Ｖ以上であれば、ステップＳ３５で検知結果が２．０Ｖよりも大きいか否かを判別する。検知結果が２．０Ｖよりも大きければ、通常モードに設定すべく、ステップＳ４３に進む。検知結果が１．０Ｖ以上２．０Ｖ以下であれば、ステップＳ２３に戻る。
【００５９】
なお、バックライト４２の点灯にはヒステリシスを有する。つまり、検知結果が１．０Ｖ未満になって始めて通常モードから省電モードへ遷移し、検知結果が２．０Ｖを上回って始めて省電モードから通常モードに遷移する。この結果、システムコントローラ４４によって決定されるＬＣＤパネル４０の明るさの変更が適宜開始される。
【００６０】
ステップＳ３７で、現在のモードが省電モードであるか否かを判別し、省電モードであればステップＳ２３に戻り、通常モードであれば、ステップＳ３９で２秒経過するまで待機する。２秒経過すると、ステップＳ４１で、バックライト４２を省電モードに設定する。このとき、上述と同様の処理が実行され、この結果、ＬＣＤパネル４０の輝度は所定値よりも低下する。この処理を終えると、ステップＳ２３に戻る。
【００６１】
ステップＳ４３では、現在の設定が通常モードであるか否かを判別し、通常モードであればステップＳ２３に戻り、省電モードであれば、ステップＳ４５で２秒結果するまで待機する。２秒経過すると、ステップＳ４７で、バックライト３６を通常モードに設定する。このとき、上述と同様の処理が実行され、この結果、ＬＣＤパネル４０の輝度は所定値を示す。この処理を終えると、ステップＳ２３に戻る。
【００６２】
ＣＰＵ２４は、μＩＴＲＯＮのようなマルチタスクＯＳに従って動作するマルチタスクＣＰＵであり、具体的には図６〜図８に示すフロー図に従う処理を行い、上述の撮影モードおよび再生モードはそれぞれ撮影タスクおよび再生タスクによって実現され、バックライト４４の制御はバックライト制御タスクによって実現される。なお、このフロー図に対応するプログラムは、フラッシュメモリ（図示せず）に記憶される。
【００６３】
図６によれば、ステップＳ５１でスルー画像表示処理を行う。具体的には、ＴＧ２２にプリ露光命令を与え、信号処理回路１８およびＬＣＤドライバ３８に処理命令を与える。これによって、スルー画像がＬＣＤパネル４０に表示される。ステップＳ５３では、システムコントローラ４４から撮影命令が入力されるまで待機する。撮影命令が入力されると、ステップＳ５５で、撮影処理を実行する。こうして、ＳＤＲＡＭ３０に圧縮画像データが格納される。
【００６４】
ステップＳ５７では、記録処理を実行する。具体的には、記録指示がＩ／Ｆ回路３４に与えられ、Ｉ／Ｆ回路３４は、この指示に従ってメモリ制御回路２８を通してＳＤＲＡＭ３０から圧縮画像データを読み出し、読み出した圧縮画像データを記録媒体３６に記録する。記録処理を終えると、ステップＳ５１に戻る。
【００６５】
図７によれば、ステップＳ６１で、ＬＣＤパネル４０に表示すべきファイルを選択する。ステップＳ６３では、再生処理を実行する。具体的には、所望のファイルの再生指示がＩ／Ｆ回路３４に与えられ、Ｉ／Ｆ回路３４は、この指示に従って該当のファイルから圧縮画像データを読み出し、読み出した画像データをメモリ制御回路２８を通してＳＤＲＡＭ３０に書き込む。ステップＳ６５では、表示処理を実行する。具体的には、メモリ制御回路２８およびＬＣＤドライバ３８に処理命令を与える。これによって、選択されたファイルに格納された画像データがＬＣＤパネル４０に表示される。
【００６６】
図８によれば、ステップＳ７１でＦｌａｇを“０”に設定し、ステップＳ７３では、記録処理または再生処理が開始されるまで待機する。記録処理または再生処理のいずれか一方が開始されると、記録媒体３６へのアクセス中であると判断し、ステップＳ７５でＦｌａｇを“１”に設定する。ステップＳ７７では、点灯命令をシステムコントローラ４４に発行する。ステップ７９では、ステップＳ７３で開始された処理が終了するまで待機する。処理が終了すると、ステップＳ８１で消灯命令をシステムコントローラ４４に発行し、ステップＳ７１に戻る。
【００６７】
つまり、Ｆｌａｇが“０”のときは、コントローラ４４によるバックライト４２の明るさ制御を開始させる一方、ＬＥＤ５０を消灯させる。また、Ｆｌａｇが“１”のときは、バックライト４２の明るさ制御を停止させる一方、ＬＥＤ５０を点灯させる。
【００６８】
なお、この実施例では、ケースは図３に示すように金属製と説明したが、これに限らず、樹脂製のケースを採用することも可能である。
【００６９】
また、この実施例では、外光の強度を検知する検知装置としてフォトトランジスタＰＴを用いて説明したが、光量を検出する集積回路（ＩＣ）であればこれに限らない。
【００７０】
さらに、この実施例では、バックライト４２による発光状態は省電モードおよび通常モードを用いて説明したが、これに限らず、システムコントローラ４４から出力されるＰＷＭ信号を制御することによってバックライト４２の発光状態を３つ以上の状態に設定することも可能である。
【図面の簡単な説明】
【００７１】
【図１】この発明の一実施例の構成を示すブロック図である。
【図２】（Ａ）は、図１実施例に適用されるディジタルカメラ１０の正面の一例を示す図解図であり、（Ｂ）は同様のディジタルカメラ１０の背面の一例を示す図解図である。
【図３】図２（Ｂ）実施例に適用される窓５８の構成の一例を示す断面図である。
【図４】図１実施例に適用されるシステムコントローラ４４の動作の一部を示すフロー図である。
【図５】図１実施例に適用されるシステムコントローラ４４の動作の他の一部を示すフロー図である。
【図６】図１実施例に適用されるＣＰＵ２４の動作の一部を示すフロー図である。
【図７】図１実施例に適用されるＣＰＵ２４の動作の他の一部を示すフロー図である。
【図８】図１実施例に適用されるＣＰＵ２４の動作のその他の一部を示すフロー図である。
【符号の説明】
【００７２】
１０  …  ディジタルカメラ
２４  …  ＣＰＵ
３４  …  Ｉ／Ｆ回路
３６  …  記録媒体
４０  …  ＬＣＤパネル
４２  …  バックライト
４４  …  システムコントローラ
４６  …  点灯調整
ＰＴ  …  フォトトランジスタ
５０  …  ＬＥＤ
【図１】
0004667245.tif 000002
【図２】
0004667245.tif 000003
【図３】
0004667245.tif 000004
【図４】
0004667245.tif 000005
【図５】
0004667245.tif 000006
【図６】
0004667245.tif 000007
【図７】
0004667245.tif 000008
【図８】
0004667245.tif 000009